(57)【要約】【課題】簡単な操作により、複数のプロジェクタを同時に制御したり、制御対象機器毎に個別に制御したりすることができるリモコンを提供する。【解決手段】複数の操作ボタン２０，３０を備え、各操作ボタン２０，３０に応じた光信号を出力して、複数のプロジェクタを制御するリモコン１において、光信号を生成し、広い照射範囲で光信号を投光する第１送信部１０と、光信号を生成し、狭い照射範囲で光信号を投光する第２送信部１１とを備え、共通の操作ボタン２０への操作に応じて光信号を出力する送信部として第１送信部１０を選択し、個別操作ボタン３０への操作に応じて光信号を出力する送信部として第２送信部１１を選択する。【選択図】図２
2009038482.tif 000002
【特許請求の範囲】
【請求項１】
複数の操作ボタンを備え、各操作ボタンに応じた光信号を出力して、複数の制御対象機器を制御するリモコンにおいて、
前記光信号を生成し、広い照射範囲で前記光信号を投光する第一の発光部と、
前記光信号を生成し、狭い照射範囲で前記光信号を投光する第二の発光部と、
前記操作ボタンに応じた光信号を出力する発光部として、前記操作ボタン毎に、前記第一の発光部及び前記第二の発光部のうちのいずれかを選択する制御部と、を備えたことを特徴とするリモコン。
【請求項２】
前記第一の発光部を発光ダイオードで構成し、前記第二の発光部をレーザ発光素子で構成したことを特徴とする請求項１に記載のリモコン。
【請求項３】
前記第二の発光部は、前記レーザ発光素子からのレーザ光により特定の位置を指し示すレーザスポットを形成するレーザポインタとして機能することを特徴とする請求項２に記載のリモコン。
【請求項４】
前記制御部は、前記第二の発光部をレーザポインタとして機能させるとき、前記制御対象機器を制御する光信号とは異なる光信号を前記第二の発光部から出力させることを特徴とする請求項３に記載のリモコン。
【請求項５】
前記複数の操作ボタンは、前記複数の制御対象機器を同時に制御するための第一の操作ボタンと、前記制御対象機器を個別に制御するための第二の操作ボタンとを含み、
前記制御部は、前記第一の操作ボタンへの操作に応じて前記光信号を出力する発光部として前記第一の発光部を選択し、前記第二の操作ボタンへの操作に応じて前記光信号を出力する発光部として前記第二の発光部を選択することを特徴とする請求項１〜４のいずれか１項に記載のリモコン。
【発明の詳細な説明】
【技術分野】
【０００１】
本発明は、リモコンに関し、詳細には、複数の操作ボタンを備え、各操作ボタンに応じた光信号を出力して、制御対象機器を制御するリモコンに関する。
【背景技術】
【０００２】
従来より、テレビなどの制御対象機器に対して光信号を送信して制御対象機器を制御するリモコンが広く知られている。例えば、複数の操作ボタンを備え、発光ダイオードなどから変調した光信号を出力するリモコンがある（特許文献１参照）。
【０００３】
この種のリモコンは、様々な用途に用いられており、例えば、画像を投影するプロジェクタなどにも適用されるようになってきている。
【特許文献１】実開平５−４８４７０号公報
【発明の開示】
【発明が解決しようとする課題】
【０００４】
ところで、最近では、会議などでプロジェクタが頻繁に利用されるようになってきており、複数のプロジェクタを並べ、複数の画像を投影させて会議を行うことが多くなってくると予測される。
【０００５】
従って、一つのリモコンでの操作により、複数のプロジェクタを同時に制御したり、プロジェクタ毎に個別に制御したりすることができることが望ましい。
【０００６】
上記特許文献１には、照射範囲の広い広指向性の赤外線発光ダイオードと、照射範囲の狭い狭指向性の赤外線発光ダイオードとを設け、利用者の操作によって、いずれかの発光ダイオードを切り換えて選択することができるリモコンが提案されており、このリモコンをプロジェクタを制御するリモコンとして用いれば、指向性の切り換え操作によって、複数のプロジェクタを同時に制御したり、プロジェクタ毎に個別に制御したりすることができる。
【０００７】
しかし、特許文献１に記載のリモコンでは、利用者による切り換え操作が必要となることから操作が煩雑となってしまい、しかも、操作ミスも生じてしまう恐れがある。
【０００８】
そこで、本発明は、簡単な操作により、複数の制御対象機器を同時に制御したり、制御対象機器毎に個別に制御したりすることができるリモコンを提供することを目的とする。
【課題を解決するための手段】
【０００９】
上記目的を達成するために、請求項１に記載の発明は、複数の操作ボタンを備え、各操作ボタンに応じた光信号を出力して、複数の制御対象機器を制御するリモコンにおいて、前記光信号を生成し、広い照射範囲で前記光信号を投光する第一の発光部と、前記光信号を生成し、狭い照射範囲で前記光信号を投光する第二の発光部と、前記操作ボタンに応じた光信号を出力する発光部として、前記操作ボタン毎に、前記第一の発光部及び前記第二の発光部のうちのいずれかを選択する制御部とを備えたことを特徴とする。
【００１０】
また、請求項２に記載の発明は、請求項１に記載の発明において、前記第一の発光部を発光ダイオード（ＬＥＤ）で構成し、前記第二の発光部をレーザ発光素子で構成したことを特徴とする。
【００１１】
また、請求項３に記載の発明は、請求項２に記載の発明において、前記第二の発光部は、前記レーザ発光素子からのレーザ光により特定の位置を指し示すレーザスポットを形成するレーザポインタとして機能することを特徴とする。
【００１２】
また、請求項４に記載の発明は、請求項３に記載の発明において、前記制御部は、前記第二の発光部をレーザポインタとして機能させるとき、前記制御対象機器を制御する光信号とは異なる光信号を前記第二の発光部から出力させることを特徴とする。
【００１３】
また、請求項５に記載の発明は、請求項１〜４のいずれか１項に記載の発明において、前記複数の操作ボタンは、前記複数の制御対象機器を同時に制御するための第一の操作ボタンと、前記制御対象機器を個別に制御するための第二の操作ボタンとを含み、前記制御部は、前記第一の操作ボタンへの操作に応じて前記光信号を出力する発光部として前記第一の発光部を選択し、前記第二の操作ボタンへの操作に応じて前記光信号を出力する発光部として前記第二の発光部を選択することを特徴とする。
【発明の効果】
【００１４】
請求項１に記載の発明によれば、利用者による切り換え操作を行うことなく、複数の制御対象機器の同時操作及び個別操作を行うことができるリモコンを提供することができる。
【００１５】
また、請求項２に記載の発明によれば、第一の発光部を発光ダイオード（ＬＥＤ）で構成し、第二の発光部をレーザ発光素子で構成するので、照射範囲の異なる発光部を用いたリモコンを容易に開発することができる。
【００１６】
また、請求項３に記載の発明によれば、第二の発光部をレーザポインタとして機能させることができるので、例えば、制御対象機器をプロジェクタとしたときに、プロジェクタを操作しつつ、プロジェクタから投影される画像をポインタで指し示すことができる。
【００１７】
また、請求項４に記載の発明によれば、制御部は、第二の発光部をレーザポインタとして機能させるとき、制御対象機器を制御する光信号とは異なる光信号を第二の発光部から出力させるようにしたので、リモコンをレーザポインタとして機能させたときに、制御対象機器に光信号が照射されて誤動作することを抑制することができる。
【００１８】
また、請求項５に記載の発明によれば、例えば、制御対象機器をプロジェクタとした場合、電源オン・オフ制御は全プロジェクタに対して同時に行うことができ、一方で各プロジェクタの投影画像を個別にズーム操作したり、画像調整したりすることができるので、利用者の利便性を向上させることができる。
【発明を実施するための最良の形態】
【００１９】
本発明の一実施形態におけるリモコンについて、以下図面を参照して具体的に説明する。なお、本実施形態においては、リモコンで制御する装置（以下、「制御対象機器」とする。）として複数のプロジェクタをその一例に挙げて説明する。図１は本実施形態に係るリモコンを用いて複数のプロジェクタを遠隔制御する様子を示す図である。
【００２０】
本実施形態におけるリモコン１は、複数の操作ボタンを備え、各操作ボタンに応じてパルス変調した光信号を出力して、図１（ａ），（ｂ）に示すように、複数のプロジェクタ２ａ〜２ｄを遠隔で制御する装置であり、複数のプロジェクタ２ａ〜２ｄを同時に制御したり、個別に制御したりすることができるように構成されている。
【００２１】
すなわち、図１（ａ）に示すように、リモコン１から広範囲に光信号を照射して、プロジェクタ２ａ〜２ｄを同時に制御する。例えば、プロジェクタ２ａ〜２ｄの電源を同時にＯＮ状態にする。また、図１（ｂ）に示すように、リモコン１から狭範囲に光信号を照射して、プロジェクタ２ａ〜２ｄを個別に制御する。例えば、プロジェクタ２ｂによって投影する画像の輝度を上げる。
【００２２】
本実施形態におけるリモコン１では、広範囲に光信号を投光するのか、狭範囲に光信号を投光するのかを操作ボタン毎に選択するようにしており、これにより、利用者による切り換え操作を行うことなく、複数のプロジェクタの同時操作及び個別操作を行うことができ、利便性を向上させている。
【００２３】
以下、本実施形態におけるリモコン１及びプロジェクタ２ａ〜２ｄの構成及び動作について具体的に説明する。
【００２４】
まず、リモコン１の構成について説明する。図２は本実施形態に係るリモコン１の概略構成を示す図、図３は本実施形態に係るリモコン１の操作部及び発光部の配置を示す図、図４は本実施形態に係るリモコン１をレーザポインタとして使用したときの様子を示す図である。
【００２５】
図２に示すように、リモコン１は、第１送信部１０、第２送信部１１、共通操作ボタン２０、個別操作ボタン３０、制御部４０などから構成される。
【００２６】
第１送信部１０は、発光ダイオード（ＬＥＤ）を有しており、制御部４０から出力される信号を変換した光信号を広い照射範囲で投光する機能を有する第一の発光部である。
【００２７】
第２送信部１１は、レーザ発光素子を有しており、制御部４０から出力される信号を変換した光信号を狭い照射範囲で投光する機能を有する第二の発光部である。なお、レーザ発光素子として、半導体レーザなどが用いられる。ここでは、この第２送信部１１の照射範囲を、投光するレーザ光で小さなレーザスポットを形成する程度の照射範囲としている。
【００２８】
共通操作ボタン２０は、複数のプロジェクタ２ａ〜２ｄを同時に制御するための操作ボタン（第一の操作ボタンに相当）である。この共通操作ボタン２０として、図３に示すように、例えば、電源ＯＮ／ＯＦＦボタン２１、ソース切替ボタン２２、モード切替ボタン２３、台形補正ボタン２４ａ，２４ｂなどがある。
【００２９】
電源ＯＮ／ＯＦＦボタン２１はプロジェクタ２ａ〜２ｄの電源をＯＮ状態或いはＯＦＦ状態に制御するためのボタン、ソース切替ボタン２２は各プロジェクタ２ａ〜２ｄが投影する画像を切り替えるためのボタン、モード切替ボタン２３は各プロジェクタ２ａ〜２ｄのモードを切り替えるためのボタン、台形補正ボタン２４ａ，２４ｂは各プロジェクタ２ａ〜２ｄが投影する画像の台形歪みを補正するためのボタンである。
【００３０】
個別操作ボタン３０には、各プロジェクタ２ａ〜２ｄを個別に制御するための操作ボタン（第二の操作ボタンに相当）とレーザポインタとして機能させるための操作ボタンとが含まれる。この個別操作ボタン３０として、例えば、図３に示すように、画像位置調整ボタン３１ａ〜３１ｅ、輝度調整ボタン３２ａ，３２ｂ、ズームボタン３３ａ，３３ｂ、レーザポインタボタン３４がある。
【００３１】
画像位置調整ボタン３１ａ〜３１ｅは画像の投影位置を変更するための操作ボタン、輝度調整ボタン３２ａ，３２ｂは投影画像の輝度を調整するための操作ボタン、ズームボタン３３ａ，３３ｂは投影画像のズーム率を調整するための操作ボタン、レーザポインタボタン３４はリモコン１をレーザポインタとして機能させるための操作ボタンである。
【００３２】
制御部４０は、リモコン１全体を制御するものであり、共通操作ボタン２０や個別操作ボタン３０が操作されたことを検出すると、その操作ボタンに応じた光信号を第１送信部１０や第２送信部１１から出力する。
【００３３】
特に、制御部４０は、共通操作ボタン２０が利用者により操作されると第１送信部１０を選択し、この第１送信部１０に制御信号を出力して、操作された操作ボタンに応じてパルス変調した光信号Ｓｗを照射範囲の広い第１送信部１０から出力する（図１（ａ）参照）。従って、利用者は、複数のプロジェクタ２ａ〜２ｄを同時に制御することができる。また、制御部４０は、個別操作ボタン３０（レーザポインタボタン３４を除く）が利用者により操作されると第２送信部１１を選択し、この第２送信部１１に制御信号を出力して、操作された操作ボタンに応じてパルス変調した光信号Ｓｎを照射範囲の狭い第２送信部１１から出力する（図１（ｂ）参照）。従って、利用者は、プロジェクタ２ａ〜２ｄを個別に制御することができる。
【００３４】
このように制御部４０は、第１送信部１０から光信号Ｓｗを投光するのか、第２送信部１１から光信号Ｓｎを投光するのかを、操作ボタン毎に選択するようにしており、これにより、利用者による切り換え操作を行うことなく、複数のプロジェクタの同時操作及び個別操作を行うことができ、利便性を向上させている。
【００３５】
また、制御部４０は、レーザポインタボタン３４が操作されたとき、第２送信部１１を選択し、この第２送信部１１に制御信号を出力して、パルス変調を施さない光信号を狭い照射範囲の第２送信部１１から出力し、図４に示すように、レーザスポットＰを形成するレーザポインタとして機能する。
【００３６】
このように、制御部４０は、プロジェクタ２ａ〜２ｄを制御するためにパルス変調した光信号とは異なるパルス変調を施さない光信号を照射範囲の狭い第２送信部１１から出力するようにしており、これにより、リモコン１をレーザポインタとして機能させることができ、しかも、パルス変調をしていないために、誤ってプロジェクタ２ａ〜２ｄを制御してしまうことがない。
【００３７】
次に、プロジェクタ２ａ〜２ｄの構成について説明する。プロジェクタ２ａ〜２ｄはそれぞれ同様の構成であり、以下の説明ではプロジェクタ２として説明する。図５は本実施形態におけるプロジェクタ２の概略構成を示す図である。
【００３８】
プロジェクタ２は、図５に示すように、外部から映像信号を入力する映像信号入力回路１１１と、映像信号入力回路１１１で取得した映像信号に基づいた画像を投影する投影部１１２と、リモコン１から投光される光信号を受光する受光部１１３と、投影部１１２によって投影する画像のデータを一時的に蓄積するフレームメモリ１１４と、各種操作を行うための操作パネルなどを有する入力部１１５と、プロジェクタ２全体を制御する制御部１１６とを備えており、これらはバス１１７によって接続される。
【００３９】
映像信号入力回路１１１は、コンポジット映像信号やコンポーネント映像信号などの映像信号として外部から映像信号Ａ及び映像信号Ｂを入力し、制御部１１６からの制御によって、映像信号Ａ及び映像信号Ｂのうちのいずれか一方を選択して投影部１１２に出力する。
【００４０】
投影部１１２は、光源駆動回路１２０と、光源１２１と、照明光学系１２２と、光変調素子１２３と、結像光学系１２４と、画像処理回路１２５と、光変調素子駆動回路１２６とを備えている。光源１２１は、ランプなどから構成され、制御部１１６によって制御された光源駆動回路１２０から出力される信号に基づいて、点灯駆動されて発光する。光源１２１で発光された光は、照明光学系１２２によって、照明光として光変調素子１２３に照射される。光変調素子１２３は、透過型液晶パネルなどによって構成されており、光変調素子駆動回路１２６によって駆動されて、その表示面に映像を表示する。光変調素子駆動回路１２６は、画像処理回路１２５から出力される信号によって制御されるものであり、画像処理回路１２５は映像信号入力回路１１１から出力される映像信号に基づいて画像データを生成し、この画像データをフレームメモリ１１４に一時的に蓄積した後に光変調素子駆動回路１２６へ出力する。このように光変調素子１２３に表示された映像は、照明光学系１２２からの照明光によって、光変調素子１２３を通して画像光となり、結像光学系１２４の投射レンズを通って、スクリーンに投影される。
【００４１】
制御部１１６は、ＣＰＵ(Central Processing Unit)，ＲＯＭ（Read Only Memory），ＲＡＭ（Random Access Memory）などを内蔵しており、ＣＰＵがＲＯＭに予め格納されたプログラムを読み出して実行することによって制御部として機能する。なお、ＲＡＭはワーキングメモリなどとして用いられる。
【００４２】
リモコン１からの光信号が受光部１１３で受信されたとき、その情報は受光部１１３からバス１１７を介して制御部１１６に通知される。制御部１１６は受光部１１３で受信した光信号の情報を復調し、その制御要求内容を解析し、その解析結果に応じた制御を行う。
【００４３】
例えば、電源ＯＮ／ＯＦＦボタン２１に応じた光信号を受光部１１３で受信したとき、制御部１１６は、電源ＯＮ／ＯＦＦの制御要求であると判定し、リモコン１からの光信号を受信して処理する遠隔処理機能を維持しつつ、各部への電源供給や停止を制御してプロジェクタ２の動作電源をＯＮ状態にしたりＯＦＦ状態にしたりする。また、ソース切替ボタン２２に応じた光信号を受光部１１３で受信したとき、制御部１１６は、ソース切替の制御要求であると判定し、映像信号入力回路１１１から出力する映像信号を映像信号Ａから映像信号Ｂへ、又は映像信号Ｂから映像信号Ａへ切り替える。
【００４４】
ズームボタン３３ａ，３３ｂに応じた光信号を受光部１１３で受信したとき、制御部１１６は、ズーム制御の要求であると判定し、投影部１１２を制御して、投影する画像のズーム率を変更する。また、輝度調整ボタン３２ａ，３２ｂに応じた光信号を受光部１１３で受信したとき、制御部１１６は、輝度調整の要求であると判定し、投影部１１２を制御して、投影する画像の輝度を変更する。
【００４５】
このように各プロジェクタ２ａ〜２ｄは、リモコン１から共通操作ボタン２０や個別操作ボタン３０に応じたパルス変調を施した光信号を受信し、復調してその制御内容に応じた制御を行うようにしている。
【００４６】
従って、リモコン１では、共通操作ボタン２０への操作に応じて光信号を出力する送信部として広い照射範囲の第１送信部１０を割り当て、個別操作ボタン３０への操作に応じて光信号を出力する送信部として照射範囲の狭い第２送信部１１を割り当てることによって、図１に示すように、利用者による切り換え操作を行うことなく、複数の制御対象機器の同時操作及び個別操作を行うことができる。
【００４７】
また、制御対象機器であるプロジェクタ２を制御するためにパルス変調した光信号とは異なるパルス変調を施さない光信号を照射範囲の狭い第２送信部１１から出力するようにしており、これにより、図４に示すように、リモコンをレーザポインタとして機能させることができ、しかも、パルス変調をしていないために、誤ってプロジェクタ２を制御してしまうことがない。
【００４８】
以上、本発明の好ましい実施の形態について説明したが、本発明はかかる特定の実施形態に限定されるものではなく、特許請求の範囲に記載された本発明の要旨の範囲内において、種々の変形・変更が可能である。
【００４９】
例えば、リモコンをレーザポインタとして機能させるとき、リモコンの制御部は、第２送信部から出力する光信号の強度を強くしてレーザスポットがよく見えるようにし、プロジェクタを制御するときには、第２送信部から出力する光信号の強度をプロジェクタで受信できる程度に弱くするようにしてもよい。これにより、プロジェクタを個別制御するときの消費電力を低減することができる。
【００５０】
また、リモコンの制御部は、第１送信部からの光信号の出力時間を第２送信部からの光信号の出力時間よりも長くするようにしてもよい。このようにすることで、第２送信部の照射範囲に全てのプロジェクタがないときでも、光信号の出力時間内にリモコンの投光方向を移動させることにより、プロジェクタを同時に制御することができる。
【００５１】
また、共通操作ボタンの一例として、電源ＯＮ／ＯＦＦボタン、ソース切替ボタン、モード切替ボタン、台形補正ボタンを説明したがこれに限られるものではなく、また、個別操作ボタンの例として、画像位置調整ボタン、輝度調整ボタン、ズームボタンを説明したがこれに限られるものではなく、適宜変更することができる。
【００５２】
また、共通操作ボタンや個別操作ボタンは、タッチパネル形式のボタンでもよく、物理的な押しボタン形式のボタンでも良い。
【００５３】
また、プロジェクタ２の投射レンズ側にリモコン用受光素子を設け、スクリーン（投影面）に狭範囲に照射された光信号Ｓｎをこのリモコン用受光素子により検出するようにしても良い。そして、プロジェクタ２の制御部１１６において、検出した光信号Ｓｎに従い、投影する画像（例えば、オブジェクト毎の画像）の移動や交換などを行うようにしてもよい。これにより、プロジェクタ２の投影画像を移動したり交換したりする操作を直感的に行うことができる。
【図面の簡単な説明】
【００５４】
【図１】本発明の一実施形態に係るリモコンを用いて複数のプロジェクタを遠隔制御する様子を示す図である。
【図２】本発明の一実施形態に係るリモコンの概略構成を示す図である。
【図３】本発明の一実施形態に係るリモコンの操作部及び発光部の配置を示す図である。
【図４】本発明の一実施形態に係るリモコンをレーザポインタとして使用したときの様子を示す図である。
【図５】本発明の一実施形態に係るプロジェクタの概略構成を示す図である。
【符号の説明】
【００５５】
１  リモコン
２ａ〜２ｄ  プロジェクタ
１０  第１送信部（第一の発光部）
１１  第２送信部（第二の発光部）
２０  共通操作ボタン（第一の操作ボタン）
３０  個別操作ボタン（第二の操作ボタン）
４０  制御部
【図１】
2009038482.tif 000003
【図２】
2009038482.tif 000004
【図３】
2009038482.tif 000005
【図４】
2009038482.tif 000006
【図５】
2009038482.tif 000007